(57)【特許請求の範囲】
【請求項１】
六角ボルトまたは六角ナットを回すためのソケット型スパナであって、
ソケット本体部（１２）と，このソケット本体部（１２）の外周に相対的に回転可能に設けられた円筒状の可動片押さえケース（１３）と，この可動片押さえケース（１３）内で前記ソケット本体部（１２）の端面に円周方向に間隔をあけて取り付けられた６本の可動片固定ピン（１４）と，各可動片固定ピン（１４）を中心として回転可能に各可動片固定ピン（１４）に一端側がそれぞれ取り付けられるとともに可動片押さえケース（１３）内で円周方向に並ぶように配置されてソケット型顎を形成する６個の細長い可動片（１５）と，前記可動片押さえケース（１３）の円筒状の内面に突出して形成され，可動片押さえケース（１３）をソケット本体部（１２）に対して相対的に回転させた時に前記可動片（１５）の前記可動片固定ピン（１４）と反対側の部分に接触してその部分をソケット中心側に押し出す６箇所の突出部（１３ａ）と，前記可動片押さえケース（１３）のソケット本体部（１２）に対する回転位置の位置決めを行う位置決め手段（１８）と，前記可動片（１５）を前記突出部（１３ａ）による押し出し方向と反対方向に付勢する付勢手段（１６）とを備えたことを特徴とするソケット型スパナ。
【請求項２】
前記可動片（１５）に磁石（１９）を設けたことを特徴とする請求項１記載のソケット型スパナ。
【発明の詳細な説明】
【０００１】
【産業上の利用分野】
この発明は，六角ナットまたは六角ボルトの異なる複数サイズに共用可能なソケット型スパナに関する。
【０００２】
【従来の技術】
従来の一般的なソケット型のスパナは，特定のナットまたはボルトのサイズ（以下，ナット・ボルトサイズと略す）に対応する単なる六角の凹部が形成されているだけである。ソケット交換型の場合は，特定のナット・ボルトサイズ用の専用ソケットを複数備えており，ナット・ボルトのサイズに応じて専用ソケットを交換して用いる。
【０００３】
また，異なる複数のナット・ボルトサイズに共用可能なソケット型スパナとして，図６に示すように，サイズの異なる複数のソケット１ａ，１ｂ，１ｃを入れ子式に畳み込んだ構造のソケット型スパナ１も知られている。このソケット型スパナ１では，必要なサイズのソケット１ａまたは１ｂまたは１ｃを前面に引き出して使用する。
【０００４】
【発明が解決しようとする課題】
上記従来の専用サイズ化されたソケットでは，ナットまたはボルトのサイズの種類だけソケット数が必要であり，また，使用に際してはその都度ソケットを交換しなければならないので，繁雑である。
【０００５】
また，前記の入れ子式のソケット型スパナ１では，異なる複数サイズに共用できる点で便利であるが，複数のソケット１ａ，１ｂ，１ｃを入れ子式にたたみ込んでいく構造であるので，中間サイズを組み込むことができない難点を持つ場合があり，任意のナット・ボルトサイズを備えるものとは言い難いものである。
【０００６】
本発明は上記従来の欠点を解消するためになされたもので，複数の異なるナット・ボルトサイズに共用可能であるとともに，大形化することもなく，また任意のナット・ボルトサイズに対応可能なソケット型スパナを提供することを目的とする。
【０００７】
【課題を解決するための手段】
上記課題を解決する本発明は，六角ボルトの頭部または六角ナットを回すためのソケット型スパナであって、ソケット本体部と，このソケット本体部の外周に相対的に回転可能に設けられた円筒状の可動片押さえケースと，この可動片押さえケース内で前記ソケット本体部の端面に円周方向に間隔をあけて取り付けられた６本の可動片固定ピンと，各可動片固定ピンを中心として回転可能に各可動片固定ピンに一端側がそれぞれ取り付けられるとともに可動片押さえケース内で円周方向に並ぶように配置されてソケット型顎を形成する６個の細長い可動片と，前記可動片押さえケースの円筒状の内面に突出して形成され，可動片押さえケースをソケット本体部に対して相対的に回転させた時に前記可動片の前記可動片固定ピンと反対側の部分に接触してその部分をソケット中心側に押し出す６箇所の突出部と，前記可動片押さえケースのソケット本体部に対する回転位置の位置決めを行う位置決め手段と，前記可動片を前記突出部による押し出し方向と反対方向に付勢する付勢手段とを備えたことを特徴とする。
【０００８】
請求項２は，前記可動片に磁石を設けたことを特徴とする。
【０００９】
【作用】
上記構成において，可動片押さえケースをソケット本体部に対して適宜の角度だけ回転させると，可動片押さえケースの内面の突出部が可動片の可動片固定ピンと反対側の部分に接触し，その部分がソケット中心側に押し出される。可動片押さえケースの内部にあるすべての可動片が一様にソケット中心側に移動するので，円周方向に配置された複数の可動片が形成するソケット型顎のサイズは連続的に小さくなる。また，その状態から可動片押さえケースを前記と反対方向に回転させると，突出部が可動片から退いていくので，可動片は付勢手段の付勢力により外方（ソケット中心側と反対方向）に移動し，ソケットサイズは大きくなる。これにより，一定範囲内でナットまたはボルト頭の任意のサイズに対応できる。
【００１０】
請求項２によれば，磁石が座金を吸着するので，座金も同時にソケット内に装着できる。
【００１１】
【実施例】
以下，本発明の一実施例を図１〜図５を参照して説明する。図１は本発明の一実施例のソケット型スパナ１１の正面図，図２は図１のＡ−Ａ線における一部破断側面図，図３は図２におけるＢ−Ｂ拡大正面図である。このソケット型スパナ１１は，六角ボルトまたは六角ナット用を回すためのソケット型スパナであって、ハンドルと一体である、またはハンドルと一体に回転するソケット本体部１２と，このソケット本体部１２の先端側部分の外周に回転可能に設けられた円筒状の可動片押さえケース１３と，この可動片押さえケース１３内で前記ソケット本体部１２の前端面に円周方向に間隔をあけて取り付けられた６本の可動片固定ピン１４と，各可動片固定ピン１４を中心として回転可能に各可動片固定ピン１４に一端側がそれぞれ取り付けられるとともに可動片押さえケース１３内で円周方向に並ぶように配置されてソケット型顎を形成する６個の細長い可動片１５と，前記可動片押さえケース１３の円筒状の内面における可動片１５間に形成された突出部１３ａと，図３に要部を拡大して示すように前記可動片１５を可動片固定ピン１４を中心として図１の正面図で見て反時計方向に付勢する付勢手段（図示例ではねじりばね）１６とを備えている。そして，前記突出部１３ａは，可動片押さえケース１３をソケット本体部１２に対して図１で反時計回り方向（図３で矢印方向）に回転させた時，可動片１５の可動片固定ピン１４と反対側の部分１５ａに接触してこの部分１５ａをソケット中心側に押し出すような形状とされている。また，可動片押さえケース１３の外周にばね１７で外方に付勢された位置決めピン１８を取り付け，これに対応してソケット本体部１２の外周面に前記位置決めピン１８が嵌入可能なピン穴１２ａを３箇所あけている。
また，可動片１５の可動片固定ピン１４と反対側の部分１５ａにワッシャを吸着保持するための磁石１９を埋め込んでいる。
【００１２】
上記のソケット型スパナ１１の動作原理を図４（イ），（ロ）を参照して説明する。図示のように，可動片押さえケース１３をソケット本体部１２に対して図４（イ）で矢印のように反時計回り方向に回転させると，可動片押さえケース１３の内面の突出部１３ａが可動片１５の可動片固定ピン１４と反対側の部分１５ａに接触し，可動片１５をその一端側の可動片固定ピン１４を中心として反時計回り方向に回転させることで，前記の可動片固定ピン１４と反対側の部分１５ａがソケット中心側に押し出される。この場合，可動片押さえケース１３の内部にある６個の可動片１５が矢印のように一様にソケット中心側に移動するので，図４（ロ）示すように，円周方向に配置された６個の可動片１５が形成するソケット型顎としてのサイズが小さくなる。
また，図４（ロ）の状態から，可動片押さえケース１３を前記と反対方向（時計回り方向）に回転させると，突出部１３ａが可動片１５から退いていくので，可動片１５は付勢手段１６の付勢力により外方（ソケット中心側と反対方向）に移動し，ソケットサイズは大きくなる。
このように可動片押さえケース１３の回転量を調整することで，ソケット型スパナ１１を複数の異なるソケットサイズに任意に設定することができる。この実施例では，ソケット本体部１２の外周に３箇所のピン穴１２ａを設け，位置決めピン１８が３箇所のピン穴１２ａに嵌入して可動片押さえケース１３が位置決めがされる構成であり，図５に示すように，同図（イ）のＭ１６用，同図（ロ）のＭ１２用，同図（ハ）のＭ１０用の３種のサイズに対応可能である。
そして，ソケット本体部１２のハンドル取り付け穴１２ｂに取り付けた図示略のハンドルを回してソケット本体部１２を回すと，６個の可動片１５がそれぞれ六角のナットまたはボルトの頭の六面にそれぞれ接触して回転力を伝える。
また，ナットまたはボルト頭にワッシャを添えた状態でソケット型スパナ１１のソケット内にナットまたはボルト頭を装着すれば，可動片１５に設けた磁石１９が座金を吸着するので，座金をナットまたはボルトと一緒にソケット内に装着でき，作業性が向上する。
【００１３】
なお，実施例では，ピンにより可動片押さえケース１３の回転位置の位置決めを行っているが，これに限らず，例えばクリック機構，摩擦位置決め機構その他の機構を採用することができる。
ナットまたはボルト締め付け力の反力によって可動片１５に力が作用しても，可動片１５からの力によって直接可動片押さえケース１３が回転することはなく，可動片押さえケース１３の回転位置を保持するために特に大きな力は必要としないので，ソケット本体部１２の外周面と可動片押さえケース１３の内周面との間の摩擦を十分大きくした前記の摩擦位置決め機構を採用すれば，可動片１５の押し出し量を連続的に変化させて，ソケットサイズを無段階に設定できる。
【００１４】
【発明の効果】
本発明によれば，１つのソケット型スパナで複数の異なるサイズの六角ボルトまたは六角ナットに対応可能となる。
また，複数の異なるサイズのソケットを入れ子式にたたみ込む構造の従来の共用型のソケット型スパナと異なり，可動片の移動量でサイズ調整が行われるので，無段階のサイズ調整も可能となる。
【図面の簡単な説明】
【図１】本発明の一実施例のソケット型スパナの正面図である。
【図２】図１のＡ−Ａ線における一部破断側面図である。
【図３】図２におけるＢ−Ｂ拡大正断面図である。
【図４】上記ソケット型スパナの動作原理を説明するもので，同図（イ）は可動片押さえケースを回転させていない状態の図，同図（ロ）は回転させた状態の図である。
【図５】上記ソケット型スパナを各種のサイズのナットに装着した状態を示すもので，同図（イ）はＭ１６のナット，同図（ロ）はＭ１２のナット，同図（ハ）はＭ１０のナットの場合である。
【図６】従来のソケット型スパナを示すもので，同図（イ）は最小サイズのナットに合わせた場合，同図（ロ）は最大サイズのナットに合わせた場合を示す。
【符号の説明】
１１  ソケット型スパナ
１２  ソケット本体部
１３  可動片押さえケース
１３ａ  突出部
１４  可動片固定ピン
１５  可動片
１６  付勢手段（ねじりばね）
１８  位置決めピン
１９  磁石
【図１】
0003588655.tif 000002
【図２】
0003588655.tif 000003
【図３】
0003588655.tif 000004
【図４】
0003588655.tif 000005
【図５】
0003588655.tif 000006
【図６】
0003588655.tif 000007